(57)【要約】      （修正有）【課題】消費者に継続的に購買意欲を持たせるために、装飾物を蓋に設けた魅力的な新しいデザインの蓋付き容器を提供する。【解決手段】蓋付き容器１は、上側開口部９を有する容器本体３と、上側開口部を着脱可能に閉鎖する蓋１３とを有し、蓋の上面１５ｂと下面にそれぞれ装飾物が設けられており、上面側の装飾物と下面側の装飾物で、例えば、キャラクター人形２１を構成する。上半身２３は蓋の上面に取付けられ、下半身は蓋の下面に取付けられている。蓋がキャラクター人形の付属物を成し、蓋に穴が開いており、一体のキャラクター人形がそこに挟まってしまった状態のように見える。容器本体側を透明にしたりすることで、容器本体に入り込んでいる内面も視認可能になるので、上記のような斬新なデザインが生きている。【選択図】図１
0003232651.tif 000002
【実用新案登録請求の範囲】
【請求項１】
上側に開口部を有する容器本体と、前記開口部を着脱可能に閉鎖する蓋とを有し、
前記蓋の上面と下面のいずれか一方または両方に装飾物が設けられていることを特徴する蓋付き容器。
【請求項２】
請求項１に記載した蓋付き容器において、
蓋の上面と下面にそれぞれ装飾物が設けられており、前記上面側の装飾物と前記下面側の装飾物で外観的に一つの有体物を構成してなる装飾化された蓋付き容器。
【請求項３】
請求項２に記載した蓋付き容器において、
装飾物がキャラクター物を二つに分離したもので構成されていることを特徴とする蓋付き容器。
【請求項４】
請求項３に記載した蓋付き容器において、
蓋の上面にキャラクター人形の少なくとも頭部を含む上半身が設けられ、前記蓋の下面に前記キャラクター人形の少なくとも脚部を含む下半身が設けられていることを特徴とする蓋付き容器。
【請求項５】
請求項１から４のいずれかに記載した蓋付き容器において、
蓋と装飾物はゴム製であることを特徴とする蓋付き容器。
【請求項６】
請求項５に記載した蓋付容器において、
蓋は大径円盤体と小径円盤体が軸状に連なって一体化し、前記小径円盤体の外周面には低い凸条部が周方向に延びた状態で形成されており、
前記小径円盤体が容器本体に押し入れられ、前記凸条部が前記容器本体の内周面に圧接した状態で前記容器本体の開口部が閉鎖することを特徴とする蓋付き容器。
【請求項７】
請求項１から６のいずれかに記載した蓋付き容器において、
容器本体は透明になっていることを特徴とする蓋付き容器。
【請求項８】
請求項１から５のいずれかに記載した蓋付き容器において、
容器本体はガラス瓶で構成されていることを特徴とする蓋付き容器。
【考案の詳細な説明】
【技術分野】
【０００１】
本考案は、装飾物を蓋に設けた蓋付き容器に関するものである。
【背景技術】
【０００２】
キャンディ、一口チョコのように手で摘まんで食べられるようなスイーツを少量容器に詰めた商品は、手軽なプレゼント用や自分へのご褒美用に、味もさることながら見た目重視で購入されることが多い。そのため、容器は綺麗、可愛い等をコンセプトにデザイン化されたものが多い。
【先行技術文献】
【特許文献】
【０００３】
【特許文献１】特開２０１４−２１３９０７号公報
【考案の概要】
【考案が解決しようとする課題】
【０００４】
消費者に継続的に購買意欲を持たせるためには、他社商品と識別でき、且つ絶えず魅力的な新しいデザインを提供することが求められているが、このようなデザインの豊富化の中、容器外面の工夫だけでは限界がある。
また、最近では、容器を手に入れるのを主な目的として、スイーツを食べ終わった後には、お洒落なまたは可愛い雑貨として部屋に飾るような使い方が流行している。そのような場合、容器には元々詰めていたスイーツとは別のスイーツ、更にはスイーツ等の食品ではないものを入れる場合がある。従って、そのような購入者に対しては、特許文献１のような容器の外形をいじり過ぎない形でのデザイン化が求められる。
【０００５】
本考案は上記従来の問題点に着目して為されたものであり、容器本体から取り外せるが、容器本体を閉じるものとして必要不可欠な蓋をデザイン化した、新規且つ有用な蓋付き容器の提供を、その目的とする。
また、本考案は、容器本体から取り外したり、容器本体側を透明にしたりすることで、蓋が外面だけでなく容器本体に入り込んだ状態でもその内面も外側から視認可能になることに着目してデザイン化した、新規且つ有用な蓋付き容器の提供を、その目的とする。
【課題を解決するための手段】
【０００６】
本考案は上記課題を解決するためになされたものであり、請求項１の考案は、上側に開口部を有する容器本体と、前記開口部を着脱可能に閉鎖する蓋とを有し、前記蓋の上面と下面のいずれか一方または両方に装飾物が設けられていることを特徴する蓋付き容器である。
【０００７】
請求項２の考案は、請求項１に記載した蓋付き容器において、蓋の上面と下面にそれぞれ装飾物が設けられており、前記上面側の装飾物と前記下面側の装飾物で外観的に一つの有体物を構成してなる装飾化された蓋付き容器である。
【０００８】
請求項３の考案は、請求項２に記載した蓋付き容器において、装飾物がキャラクター物を二つに分離したもので構成されていることを特徴とする蓋付き容器である。
【０００９】
請求項４の考案は、請求項３に記載した蓋付き容器において、蓋の上面にキャラクター人形の少なくとも頭部を含む上半身が設けられ、前記蓋の下面に前記キャラクター人形の少なくとも脚部を含む下半身が設けられていることを特徴とする蓋付き容器である。
【００１０】
請求項５の考案は、請求項１から４のいずれかに記載した蓋付き容器において、蓋と装飾物はゴム製であることを特徴とする蓋付き容器である。
【００１１】
請求項６の考案は、請求項５に記載した蓋付容器において、蓋は大径円盤体と小径円盤体が軸状に連なって一体化し、前記小径円盤体の外周面には低い凸条部が周方向に延びた状態で形成されており、前記小径円盤体が容器本体に押し入れられ、前記凸条部が前記容器本体の内周面に圧接した状態で前記容器本体の開口部が閉鎖することを特徴とする蓋付き容器である。
【００１２】
請求項７の考案は、請求項１から６のいずれかに記載した蓋付き容器において、容器本体は透明になっていることを特徴とする蓋付き容器である。
【００１３】
請求項８の考案は、請求項１から５のいずれかに記載した蓋付き容器において、容器本体はガラス瓶で構成されていることを特徴とする蓋付き容器である。
【考案の効果】
【００１４】
本考案の蓋付き容器は、蓋に着目してデザイン化し、視覚的に斬新なものであり、予め詰められたものを取り出した後には、お洒落なまたは可愛い雑貨として部屋に飾るような自分流の使い方が楽しめる。
【図面の簡単な説明】
【００１５】
【図１】本考案の実施の形態に係る蓋付き容器の斜視図である。
【図２】図１の蓋付き容器の容器本体の斜視図である。
【図３】図１の蓋付き容器の蓋の斜視図である。
【図４】図２の容器本体を、図３の蓋で閉じる直前の状態の正面図である。
【図５】図４の後、蓋を閉じた状態の正面図である。
【考案を実施するための形態】
【００１６】
本考案の実施の形態に係る蓋付き容器１について、図面にしたがって説明する。
図１に示すように、蓋付き容器１は、容器本体３と、蓋１３とからなる。
容器本体３は無色透明なガラス瓶として一体に形成されており、図１、図２に示すように、円盤状の底部５と、底部５の縁から立ち上がった直管状の胴部７と、胴部７の上側を開口させる上側開口部９とで構成されている。
【００１７】
胴部７は上端側が縮径されており、その上に円環状の上側開口部９が連設されている。この上側開口部９の内周面９ａは胴部７の内周面とほぼ面一になっている。上側開口部９の外周面９ｂは外方に膨らんで、その分だけ肉厚になっており、胴部７側との境界には凹部１１が形成されている。なお、上側開口部９の外周面９ｂは、胴部７の未縮径部分の外周面よりは内方に位置している。上側開口部９の上面９ｃは平面になっている。上側開口部９は瓶の口部に相当するものであり、上下方向の長さは相応になっている。
なお、容器本体３は中身を外側から視認可能にするために無色透明になっており、図１、図２では無模様になっているが、模様や文字を印刷で入れたものでもよい。
【００１８】
蓋１３は弾力性のあるゴムで一体に形成されている。図１、図３に示すように、大径円盤体１５の下面１５ａには同軸状に小径円盤体１７が連設されている。大径円盤体１５の厚さ寸法よりも小径円盤体１７の厚さ寸法が約２倍大きくなっており、大径円盤体１５の外周面１５ｃは同径になっているが、小径円盤体１７の外周面１７ａは、下側に向かって緩やかに縮径している。小径円盤体１７の外周面１７ａには低い凸条部１９が周方向に細長く延びた状態で形成されている。凸条部１９、１９は上下方向に間隔を開けて互いに平行に形成されている。この上下二段一組の凸条部１９、１９が周方向に同じ間隔をあけて四組形成されている。
【００１９】
大径円盤体１５の下面１５ａ、上面１５ｂと、小径円盤体１７の下面１７ｂは平面になっており、互いに平行関係にある。
蓋１３の上面は大径円盤体１５の上面１５ｂに当たり、下面は小径円盤体１７の下面１７ｂに当たる。
蓋１３は大径円盤体１５と小径円盤体１７が一体化されてある程度の厚みを有しており、ゴム製ではあるが、蓋１３を保形するのに十分な剛性を有している。
【００２０】
図１、図３に示すように、蓋１３にはゴム製のキャラクター人形２１が取付けられている。このキャラクター人形２１は仮想アニメの動物キャラクターを模したものであり、頭部を含む上半身２３側と脚部を含む下半身２５側とに蓋１３で分離されている。
上半身２３は、蓋１３の上面１５ｂを台座としてその上に胸像のように載った状態で取付けられている。また、下半身２５は、蓋１３の下面１７ｂから吊下げられた状態で取付けられている。下半身２５は、外周面１７ａよりも径方向外方にははみ出していない。
【００２１】
上半身２３と下半身２５はそれぞれ、蓋１３の中心部に取付けられ、且つ腹側と背中側の向きが揃えられている。
キャラクター人形２１が上半身２３と蓋１３で隠れた腹部と下半身２５とで構成されているかのように、図４に示すように、上半身２３の蓋１３に対する当接面２３ａと、下半身２５の蓋１３に対する当接面２５ａのそれぞれのサイズが調整されている。
【００２２】
蓋１３は茶色一色に着色され、キャラクター人形２１は蓋１３とは別の複数色で着色されており、コントラストが映えるようになっている。また、キャラクター人形２１と蓋１３は共にゴム製で素材的にも統一感がある。従って、蓋１３がキャラクター人形２１の付属物を成し、蓋１３に穴が開いており、一体のキャラクター人形２１がそこに挟まってしまった状態のように見える。
【００２３】
図４に示すように、容器本体３に蓋１３を近づけ、図５に示すように、容器本体３の上側開口部９に蓋１３の小径円盤体１７を押し入れると、小径円盤体１７の外周面１７ａが弾性的に縮径され、凸条部１９、１９、……が弾性的に僅かに凹んだ状態で上側開口部９の内周面９ａに圧接する。また、大径円盤体１５の下面１５ａが上側開口部９の上面９ｃに圧接する。小径円盤体１７の下面１７ｂは上側開口部９を僅かに超えて胴部７側に入り込んでいる。
大径円盤体１５の外周面１５ｃと上側開口部９の外周面９ｂはほぼ面一になる。この状態が、容器本体３を蓋１３で閉じた状態である。
【００２４】
容器本体３は透明になっているので、容器本体３を蓋１３で閉じた状態でも、下半身２５も外側から視認できる。すなわち、蓋１３で閉じたときにも、一体のキャラクター人形２１がそこに挟まってしまった状態のように見える。
また、キャラクター人形２１は弾力性のあるゴムで成形されているので、押えて凹ませたり、引っ張ったりすることが可能であり、ゴム人形のように、触わって外形の変化を楽しむこともできる。
【００２５】
蓋１３はゴム製なので、蓋１３で閉じれば容器本体３を密閉することができる。その一方で、蓋１３側の凸条部１９、１９、……が容器本体３側の上側開口部９の内周面９ａに線状に圧接しており、圧接面積が小さくなっているので、大径円盤体１５の外周面１５ｃを指で押さえて、容器本体３の上側開口部９から引き剥がす方向に持ち上げれば、比較的容易に蓋１３を容器本体３から取り外すことができる。
【００２６】
アニメーション、漫画、映画等のキャラクターをコンセプトにしてデザイン化した容器は有っても、蓋１３の下面１７ｂ側も装飾物の取付け用に利用するようなアイデアは今まで無かったので、見た目が斬新である。
お気に入りのキャラクターとしてコレクションするようなユーザーにとっては、キャラクターのデザイン化態様が豊富化されるのはコレクションの種類が増えることになり、朗報になると考える。
【００２７】
以上、本考案の実施の形態について詳述してきたが、具体的構成は、この実施の形態に限られるものではなく、本考案の要旨を逸脱しない範囲における設計の変更などがあっても考案に含まれる。
例えば、容器本体３はガラス瓶に限らず、プラスチックや金属、更には紙で形成することもできる。
装飾物は蓋の上面または下面のいずれか一方だけに設けてもよい。また、装飾物はキャラクター物に限定されない。
【符号の説明】
【００２８】
１…蓋付き容器    ３…容器本体  ５…底部          ７…胴部      ９…上側開口部
９ａ…（上側開口部の）内周面    ９ｂ…（上側開口部の）外周面
９ｃ…（上側開口部の）上面    １１…凹部        １３…蓋      １５…大径円盤体
１５ａ…（大径円盤体の）下面    １５ｂ…（大径円盤体の）上面
１５ｃ…（大径円盤体の）外周面  １７…小径円盤体  １７ａ…（小径円盤体の）外周面
１７ｂ…（小径円盤体の）下面    １９…凸条部      ２１…キャラクター人形
２３…上半身      ２３ａ…（上半身の）当接面      ２５…下半身
２５ａ…（下半身の）当接面
【図１】
0003232651.tif 000003
【図２】
0003232651.tif 000004
【図３】
0003232651.tif 000005
【図４】
0003232651.tif 000006
【図５】
0003232651.tif 000007